(57)【要約】    【課題】  電気光学変調装置における各物理画素の特性に起因して発生する表示画像の画質劣化を抑制する。    【解決手段】  入力画像データに応じて照明装置からの光を変調する電気光学変調装置２０と、前記電気光学変調装置２０によって変調された光を表示画像として投写する投写光学系と、前記電気光学変調装置２０における各物理画素の特性に起因して発生する表示画像の画質劣化を抑制する画像表示制御手段３０とを備えたプロジェクタであって、前記画像表示制御手段３０は、前記表示画像のあるＭ個（Ｍは自然数）の表示画素を、前記電気光学変調装置２０のＮ個（Ｎは自然数でＮ＞Ｍ）の物理画素を用いて表示させる画像表示制御機能を有する。【選択図】  図１
2006003406.tif 000002
【特許請求の範囲】
【請求項１】
入力画像データに応じて照明装置からの光を変調する電気光学変調装置と、前記電気光学変調装置によって変調された光を表示画像として投写する投写光学系と、前記電気光学変調装置における各物理画素の特性に起因して発生する表示画像の画質劣化を抑制する画像表示制御手段とを備えたプロジェクタであって、
前記画像表示制御手段は、前記表示画像のあるＭ個（Ｍは自然数）の表示画素を、前記電気光学変調装置のＮ個（Ｎは自然数でＮ＞Ｍ）の物理画素を用いて表示させる画像表示制御機能を有することを特徴とするプロジェクタ。
【請求項２】
請求項１に記載のプロジェクタにおいて、
前記画像表示制御手段は、前記表示画像における各表示画素の画素値を、前記各表示画素に対応する前記電気光学変調装置における複数の物理画素を順次用いて表現することを特徴とするプロジェクタ。
【請求項３】
請求項１または２に記載のプロジェクタにおいて、
前記画像表示制御手段が有する画像表示制御機能には、前記電気光学変調装置に対応する光学像を前記表示画素の整数倍の位置に移動可能な光学像移動制御機能と、前記電気光学変調装置に対応する光学像の移動に同期して前記表示画像を前記電気光学変調装置に対応する光学像の移動方向と逆方向に同じ移動量だけ移動可能な画像移動制御機能とが含まれることを特徴とするプロジェクタ。
【請求項４】
請求項１または２に記載のプロジェクタにおいて、
前記画像表示制御手段は、
前記電気光学変調装置に対応する光学像を前記表示画素の整数倍の位置に移動可能な光学像移動制御手段と、
前記電気光学変調装置に対応する光学像の移動量を取得する移動量取得手段と、
前記電気光学変調装置に対応する光学像の移動量が前記表示画素の整数倍か否かを判断し、整数倍である場合には、その移動量に応じた画像移動同期信号を出力する画像移動同期手段と、
前記画像移動同期信号に基づいて、前記表示画像を前記電気光学変調装置に対応する光学像の移動方向と逆方向に同じ移動量だけ移動可能な画像移動制御手段と、
を有することを特徴とするプロジェクタ。
【請求項５】
請求項３に記載のプロジェクタにおいて、
前記画像表示制御手段が有する画像表示制御機能には、前記Ｎ個の物理画素に対応付けられる表示画素の画素値を、該表示画素の表示位置に対応した補正パラメータを用いて補正する画像補正機能がさらに含まれることを特徴とするプロジェクタ。
【請求項６】
請求項４に記載のプロジェクタにおいて、
前記画像表示制御手段は、前記Ｎ個の物理画素に対応付けられる表示画素の画素値に対する補正量を、該表示画素の表示位置に対応した補正パラメータとして記憶する補正パラメータ記憶手段と、前記Ｎ個の物理画素に対応付けられる表示画素の画素値を、該表示画素の表示位置に対応した補正パラメータを用いて補正する画像補正手段とをさらに有することを特徴とするプロジェクタ。
【請求項７】
請求項５または６に記載のプロジェクタにおいて、
前記補正パラメータは、前記電気光学変調装置の各物理画素に設定された各物理画素の特性を表す特性値に基づいて求められることを特徴とするプロジェクタ。
【請求項８】
請求項１から７のいずれかに記載のプロジェクタにおいて、
前記Ｍ個の表示画素のＭは１であることを特徴とするプロジェクタ。
【請求項９】
入力画像データに応じて照明装置からの光を変調する電気光学変調装置と、前記電気光学変調装置によって変調された光を表示画像として投写する投写光学系と、前記電気光学変調装置における各物理画素の特性に起因して発生する表示画像の画質劣化を抑制する画像表示制御手段とを備えたプロジェクタにおける画像表示制御方法であって、
前記画像表示制御手段は、前記表示画像のあるＭ個（Ｍは自然数）の表示画素を、前記電気光学変調装置のＮ個（Ｎは自然数でＮ＞Ｍ）の物理画素を用いて表示させる画像表示制御を行うことを特徴とするプロジェクタにおける画像表示制御方法。
【発明の詳細な説明】
【技術分野】
【０００１】
本発明は、１つ以上の電気光学変調装置を有するプロジェクタおよびプロジェクタにおける画像表示制御方法に関する。
【背景技術】
【０００２】
電気光学変調装置としての透過型光変調画像形成手段あるいは反射型光変調画像形成手には、ガラス基板間に液晶材料をはさみ込んだパネルを用いたもの（以下、ＬＣＤと略す）、シリコン基板の上に液晶材料を積層したもの（以下、ＬＣＯＳと略す）あるいは、シリコン基板の上に形成された微細な反射板を駆動するもの（以下ＤＭＤと略す）などがある。
【０００３】
これらの電気光学変調装置は、非常に微細な加工が必要とされるため、電気光学変調装置の各画素（物理画素という）に不具合が発生することは避けられない。また、不具合の種類も、応答特性のばらつきのようなものから、入力信号に対して全く応答しないと言うようなものまで様々である。
【０００４】
このような電気光学変調装置の各物理画素の特性のばらつきなどによる不具合は、表示面上で表示される表示画像上での表示のむら、常時点灯している輝点、常時消灯している暗点などの画質劣化として現れる。とりわけ、空間周波数の高い画質劣化、つまり、表示画像上の小さな領域に局在する画質劣化は、人間の目の特性として視認しやすいものであり、表示画像の品質上、重大な問題となる。
【０００５】
このような問題に対処する方法として、消極的な方法ではあるが製品選別を行うと言う方法がある。つまり、ある水準以上の不具合があるものは不良品としてしまう方法である。しかし、この方法は、生産性の低下を招くとともに、大量の不良品を発生させることにもなり、環境に与える影響という面からも好ましいものではない。
【０００６】
また、上述の問題に対処する他の方法としては、何らかの補正を加えると言う積極的な方法がある。この例としては、たとえば、特許文献１〜特許文献５に開示されている方法がある。
これら、特許文献１〜特許文献５のうち、特許文献１〜特許文献３に開示されている方法は、いずれも本質的には同じ考え方に基づくものであり、ある位置、ある色の画素に画質劣化があった場合、その近傍の画素の値を制御することにより、画質劣化した画素を見えにくくするものである。
【０００７】
また、特許文献４と特許文献５に開示されている方法は、両者とも類似したものであり、表示画像上の画質劣化した部分の補正を行うように、電気光学変調装置を駆動するための信号を加工するものである。それにより、本質的に画質劣化した部分を見えにくくするものである。
【特許文献１】特開２００１−１０９４２３
【特許文献２】特開２００１−３５６７３０
【特許文献３】特開２００２−１８９４４０
【特許文献４】特開２００２−３６６１０９
【特許文献５】特開２００３−３１６３３０
【発明の開示】
【発明が解決しようとする課題】
【０００８】
しかしならが、特許文献１、特許文献２、特許文献３に記載の方法は、画質劣化した部分を見えにくくしているだけである。このため、たとえば、表示面に近づいて観察する場合などにおいてはその画質劣化した部分は見えてしまうと言う問題がある。また、電気光学変調装置の空間解像度が高くない場合においては、この方法そのものが有効に機能しないと言う問題がある。
【０００９】
一方、特許文献４、特許文献５に記載の方法は、原理的に言えば非常に有効な方法であり、本質的に画質劣化した部分を見えなくすることが可能である。しかし、これを実行するためには非常に精密な電気回路上の制御が必要であると言う問題がある。また、電気光学変調装置の完全な短絡、完全な切断などの不具合においては機能しないと言う問題もある。極端な例としては、ＤＭＤ素子の反射板が欠落しているような場合、あるいは固着しているような場合においては全く無効である。
【００１０】
なお、特許文献５は、電気光学変調装置の物理画素の数よりも、表示面上に表示される表示画像の画素（表示画素という）の数を見かけ上、増やすという考え方である。これは、従来、表示画像の１つの表示画素と、電気光学変調装置の１つの物理画素とは、物理的に、あるいは投写光学系を通じて１対１に対応付けられているのが一般的であるが、この特許文献５は、１つの物理画素で複数の表示画素を表示するものである。
【００１１】
この特許文献５は、このような方法を採用することによって、見かけ上の解像度を高くしようとするものである。これによれば、確かに、見かけ上の解像度の改善は図れると考えられる。しかし、この特許文献５では、電気光学変調装置における各物理画素の特性に起因して発生する表示画像の画質劣化を抑制することはできない。
【００１２】
本発明は、電気光学変調装置における各物理画素の特性に起因して発生する表示画像の画質劣化を抑制することによって、高品質な画像表示を可能とするプロジェクタおよびプロジェクタにおける画像表示制御方法を提供することを目的とする。
【課題を解決するための手段】
【００１３】
（１）本発明のプロジェクタは、入力画像データに応じて照明装置からの光を変調する電気光学変調装置と、前記電気光学変調装置によって変調された光を表示画像として投写する投写光学系と、前記電気光学変調装置における各物理画素の特性に起因して発生する表示画像の画質劣化を抑制する画像表示制御手段とを備えたプロジェクタであって、前記画像表示制御手段は、前記表示画像のあるＭ個（Ｍは自然数）の表示画素を、前記電気光学変調装置のＮ個（Ｎは自然数でＮ＞Ｍ）の物理画素を用いて表示させる画像表示制御機能を有することを特徴とする。
【００１４】
このように、表示画像のＭ個の表示画素を、電気光学変調装置のＮ個（Ｎ＞Ｍ）の物理画素を用いて表示することで、電気光学変調装置における各物理画素の特性に起因して発生する表示画像の画質劣化を時間平均において分散することができる。
これによって、電気光学変調装置における各物理画素の特性に起因して発生する表示画像の画質劣化を抑制することができ、高品質な画像表示が可能となる。具体的には、電気光学変調装置のある特定の物理画素に、たとえば、常時消灯や常時点灯などの不具合が存在する場合、常時消灯による暗点や常時点灯による輝点を分散することができるので、表示画像上においては、これら暗点や輝点は殆んど視認できない状態となる。
【００１５】
（２）前記（１）に記載のプロジェクタにおいては、前記画像表示制御手段は、前記表示画像における各表示画素の画素値を、前記各表示画素に対応する前記電気光学変調装置における複数の物理画素を順次用いて表現することが好ましい。
これにより、表示画像のＭ個の表示画素を、電気光学変調装置のＮ個（Ｎ＞Ｍ）の物理画素を用いて表示する画像表示制御が可能となり、（１）に記載のプロジェクタを実現することができる。
【００１６】
（３）前記（１）または（２）に記載のプロジェクタにおいては、前記画像表示制御手段が有する画像表示制御機能には、前記電気光学変調装置に対応する光学像を前記表示画素の整数倍の位置に移動可能な光学像移動制御機能と、前記電気光学変調装置に対応する光学像の移動に同期して前記表示画像を前記電気光学変調装置に対応する光学像の移動方向と逆方向に同じ移動量だけ移動可能な画像移動制御機能とが含まれることが好ましい。
これにより、表示画像のＭ個の表示画素を、電気光学変調装置のＮ個（Ｎ＞Ｍ）の物理画素を用いて表示する画像表示制御が可能となる。また、（３）に示すような画像表示制御機能を有することにより、電気光学変調装置に対応する光学像が表示面上で位置が変化しても、表示画像は表面上においてその位置が変化することはなく、表示画像を見るユーザに違和感を与えることはない。
【００１７】
（４）前記（１）または（２）に記載のプロジェクタにおいては、前記画像表示制御手段は、前記電気光学変調装置に対応する光学像を前記表示画素の整数倍の位置に移動可能な光学像移動制御手段と、前記電気光学変調装置に対応する光学像の移動量を取得する移動量取得手段と、前記電気光学変調装置に対応する光学像の移動量が前記表示画素の整数倍か否かを判断し、整数倍である場合には、その移動量に応じた画像移動同期信号を出力する画像移動同期手段と、前記画像移動同期信号に基づいて、前記表示画像を前記電気光学変調装置に対応する光学像の移動方向と逆方向に同じ移動量だけ移動可能な画像移動制御手段とを有することが好ましい。
画像表示制御手段をこのような構成とすることによって、前記（３）に記載のプロジェクタと同様の効果を得ることができる。
【００１８】
（５）前記（３）に記載のプロジェクタにおいて、前記画像表示制御手段が有する画像表示制御機能には、前記Ｎ個の物理画素に対応付けられる表示画素の画素値を、該表示画素の表示位置に対応した補正パラメータを用いて補正する画像補正機能がさらに含まれることも可能である。
これは、補正パラメータに基づいて、Ｎ個の物理画素に対応付けられる表示画素の画素値の補正を行うものであり、このような画像補正を行うことにより、前記（３）に記載の効果に加えて、たとえば、物理画素に常時消灯や常時点灯などの不具合が存在していても、時間平均においてＮ個の物理画素がすべて正常である場合と同等な画素値での表示を行うことができる。
【００１９】
（６）前記（４）に記載のプロジェクタにおいては、前記画像表示制御手段は、前記Ｎ個の物理画素に対応付けられる表示画素の画素値に対する補正量を、該表示画素の表示位置に対応した補正パラメータとして記憶する補正パラメータ記憶手段と、前記Ｎ個の物理画素に対応付けられる表示画素の画素値を、該表示画素の表示位置に対応した補正パラメータを用いて補正する画像補正手段とをさらに有することも可能である。
画像表示制御手段をこのような構成とすることによって、（５）に記載のプロジェクタと同様の効果を得ることができる。
【００２０】
（７）前記（５）または（６）に記載のプロジェクタにおいては、前記補正パラメータは、前記電気光学変調装置の各物理画素に設定された各物理画素の特性を表す特性値に基づいて求められることが好ましい。
これによって、それぞれの物理画素の持つ特性に応じた最適な補正パラメータを得ることができる。
【００２１】
（８）前記（１）〜（７）のいずれかに記載のプロジェクタにおいては、前記Ｍ個の表示画素のＭは１であることが好ましい。
これは、表示画像を構成するある１つの画素を電気光学変調装置のＮ個（２個以上）の画素で表示することである。これによって、前述したように、電気光学変調装置のある特定の物理画素に、たとえば、常時消灯や常時点灯などの不具合が存在する場合、常時消灯による暗点や常時点灯による輝点を分散することができるので、表示画像上においては、これら暗点や輝点は殆んど視認できない状態となる。
【００２２】
（９）本発明のプロジェクタにおける画像表示制御方法は、入力画像データに応じて照明装置からの光を変調する電気光学変調装置と、前記電気光学変調装置によって変調された光を表示画像として投写する投写光学系と、前記電気光学変調装置における各物理画素の特性に起因して発生する表示画像の画質劣化を抑制する画像表示制御手段とを備えたプロジェクタにおける画像表示制御方法であって、前記画像表示制御手段は、前記表示画像のあるＭ個（Ｍは自然数）の表示画素を、前記電気光学変調装置のＮ個（Ｎは自然数でＮ＞Ｍ）の物理画素を用いて表示させる画像表示制御を行うことを特徴とする。
これによれば、前記（１）と同様の効果が得られる。なお、（９）に記載のプロジェクタにおける画像表示制御方法においても、前記（１）〜（８）のいずれかに記載のプロジェクタと同様の特徴を有することが好ましい。
【発明を実施するための最良の形態】
【００２３】
以下、図に示す実施形態に基づいて本発明を詳細に説明する。
[実施形態１]
図１は本発明の実施形態１に係るプロジェクタの概略構成を示す図である。実施形態１に係るプロジェクタ１は、その構成を大別すると、画像入力手段１０、電気光学変調装置２０、画像表示制御手段３０、図示されていない照明装置および投写光学系を有した構成となっている。
【００２４】
画像表示制御手段３０は、電気光学変調装置２０全体の像（電気光学変調装置２０に対応する光学像という）を、表示画像を構成する表示画素の整数倍の位置に移動可能な光学像移動制御手段３１と、電気光学変調装置２０に対応する光学像の移動量を取得する移動量取得手段３２と、電気光学変調装置２０に対応する光学像の移動量が表示画素の整数倍か否かを判断し、整数倍である場合には、その移動量に応じた画像移動同期信号を出力する画像移動同期手段３３と、該画像移動同期手段３３からの画像移動同期信号に基づいて、表示画像を電気光学変調装置２０に対応する光学像の移動方向と逆方向に同じ移動量だけ移動可能な画像移動制御手段３４とを有している。
【００２５】
図２は実施形態１に係るプロジェクタ１の画像表示制御手段３０が行う画像表示制御処理手順を示すフローチャートである。
まず、光学像移動制御手段３１により電気光学変調装置２０に対応する光学像を移動させ、その移動量を移動量取得手段３２により取得する（ステップＳ１）。この移動量取得手段３２で取得された移動量が表示画素の整数倍か否か、すなわち、取得された横方向移動量ｘおよび縦方向移動量ｙが、それぞれ表示画素の整数倍になっているか否かを画像移動同期手段３３により判断する（ステップＳ２，Ｓ３）。この判断の結果、横方向移動量ｘおよび縦方向移動量ｙがそれぞれ整数倍になっていれば、画像移動同期手段３３は、その移動量に応じた画像移動同期信号を画像移動制御手段３４に出力する。
【００２６】
画像移動制御手段３４は、画像移動同期手段３３からの画像移動同期信号に基づいて、画像入力手段１０により与えられる入力画像データに対し、電気光学変調装置２０に対応する光学像の移動方向と逆方向に同じ移動量だけ移動させるための画像移動制御を行う。すなわち、表示面上の表示画像を横方向に−ｘ、縦方向に−ｙだけ移動させるための画像移動制御を入力画像データに対して行う（ステップＳ４）。続いて、その画像移動制御のなされた入力画像データを電気光学変調装置２０に送り、この電気光学変調装置２０によって変調された表示画像を投写光学系によって表示面上に表示する（ステップＳ５）。
【００２７】
そして、一連の表示シーケンス終了か否かを判断し（ステップＳ６）、一連の表示シーケンスが終了するまで、ステップＳ１〜Ｓ５の処理を繰り返す。なお、この「一連の表示シーケンス」というのは、たとえば、Ｎ個の物理画素で１つの表示画素の表示を行う場合であれば、ステップＳ１〜Ｓ５をＮ回だけ行うことを指している。
【００２８】
以上の処理からもわかるように、電気光学変調装置２０に対応する光学像は、光学像移動制御手段３１により表示面上で移動するが、電気光学変調装置２０に対応する光学像の移動とは逆方向でかつ同じ移動量の移動を、実際に表示される表示画像に対して行う。これにより、表示画像は表面上においてその位置が変化しないことになる。
【００２９】
ところで、従来、表示画像の１つの表示画素と、電気光学変調装置２０の１つの画素（物理画素という）とは、物理的に、あるいは投写光学系を通じて１対１に対応付けられているのが一般的である。そのため、１つの物理画素の特性が１つの表示画素の特性として表示されることになる。
これに対して、実施形態１の方法によれば、表示画像のある１つの表示画素を、電気光学変調装置２０の複数の物理画素を用いて表示することになる。そのため、ある１つの表示画素においては、それに対応する複数の物理画素の特性が平均化されることになる。
【００３０】
図３は、ある１つの表示画素を複数の物理画素で表示する動作を説明するための図である。図中の細線で示す小さな四角形は表示面上に投影された物理画素を模式的に示し、太線で示す小さな四角形は表示画素を模式的に示すものである。この図３の例では、５×５の表示画素で構成される表示画像を、電気光学変調装置２０の６×６の物理画素を用いて表示させる例を示すものである。
【００３１】
図３からもわかるように、電気光学変調装置２０に対応する光学像（図３においては、２０’の符号を付す）の位置は、光学像移動制御手段３１によって、図３（Ａ）〜（Ｄ）の順序で変化するが、各物理画素上に表示される表示画素に対しては、画像移動制御手段３４が電気光学変調装置２０に対応する光学像２０’の移動を相殺するような画像移動制御を行う。これにより、表示画像は表面上においてその位置が変化することはない。
【００３２】
すなわち、この図３の例では、表示面上に投影された電気光学変調装置２０に対応する光学像２０’の位置は、図３（Ａ）の位置から図示の左方向（図示矢印ａ方向）へ１画素分だけ移動して図３（Ｂ）の位置となるが、これと同期して、表示画像の各表示画素は図示の右方向へ１画素分だけ移動する。
次に、電気光学変調装置２０に対応する光学像２０’の位置は、図３（Ｂ）の位置から図示の上方向（図示矢印ｂ方向）へ１画素分だけ移動して図３（Ｃ）の位置となるが、これと同期して、表示画像の各表示画素は図示の下方向へ１画素分だけ移動する。さらに、電気光学変調装置２０に対応する光学像２０’の位置は、図３（Ｃ）の位置から図示の右方向（図示矢印ｃ方向）へ１画素分だけ移動して図３（Ｄ）の位置となるが、これと同期して、表示画像の各表示画素は図示の左方向へ１画素分だけ移動する。
【００３３】
このように、電気光学変調装置２０に対応する光学像２０’は、光学像移動制御手段３１の移動制御によって表示面上で移動するが、表示画像に対しては、画像移動制御手段３４が電気光学変調装置２０に対応する光学像２０’の移動を相殺するような移動制御を行うので、表示画像は表面上においてその位置が変化することはない。
【００３４】
この図３の例は、電気光学変調装置２０に対応する光学像２０’を図３（Ａ）の位置から左方向に１画素移動させて同図（Ｂ）の位置としたあと、上方向に１画素移動させて同図（Ｃ）の位置とし、さらに、右方向に１画素移動させて同図（Ｄ）の位置とするという順序で移動させるので、表示画像のある１つの表示画素は、電気光学変調装置２０の４つの物理画素で表示されることになる。
【００３５】
図４は、ある１つの表示画素を１６個の物理画素で表示する例を模式的に示す図である。この図４においては、図４の矢印が付されている１６個の物理画素が該矢印の順序で移動することによって、ある１つの表示画素の表示を行う。
【００３６】
図５は、ある物理画素がその特性として常時消灯の不具合を持っている場合における、該物理画素を通る破線矢印Ｌ上の線輝度分布例を示す図である。
図５からもわかるように、今、仮に位置Ｐ１の物理画素が、図５（Ａ）に示すように常時消灯の不具合を持っている場合、該位置Ｐ１を通る破線矢印Ｌ上の線輝度分布は、図５（Ｂ）に示すように、正常な物理画素に対応する輝度はＶｉとなり、位置Ｐ１に対応する輝度は０となる。このため、位置Ｐ１に対応する表示画素が暗点となって表示面上で視認される。
【００３７】
しかし、図４で示したように、１６個の物理画素を用いて、これら１６個の物理画素が順番にある１つの表示画素を表示させるような画像表示制御を行うことによって、図５の位置Ｐ１に対応する表示画素の暗点は、１／１６に分散される。これを示したものが図６である。
【００３８】
図６は、ある１つの表示画素（位置Ｐ１に対応する表示画素）を１６個の物理画素で表示した場合の位置Ｐ１を通る破線矢印Ｌ上の輝度分布を説明するための図である。
図６（Ａ）からもわかるように、位置Ｐ１に対応する表示画素を、１６個の物理画素を図示の矢印（太線矢印）の順序で移動させて表示させることにより、位置Ｐ１に対応する表示画素の暗さは、図６（Ｂ）に示すように、１６個の物理画素に分散される。つまり、ある１つの表示画素を表示する１６個の物理画素に含まれる１つの暗点の影響は、時間平均において１／１６に軽減されることになる。
【００３９】
このように、常時消灯の不具合を持っている物理画素で表示される位置Ｐ１の表示画素は、前述したような画像表示制御がなされることにより、正常な輝度をＶｉとすれば、Ｖｉの１／１６、つまり、正常な輝度Ｖｉに対して、６％程度暗くなるだけであり、表示面を見るユーザ側では、暗点を殆ど視認できなくなるまでに改善される。これによって、常時消灯の影響をほとんど受けない高品質な画像表示を行うことができる。
【００４０】
以上は、ある物理画素が常時消灯の不具合を有する場合、その物理画素に対応する表示画素が暗点となる例について説明したが、常時点灯による輝点においても同様に改善される。また、暗点、輝点のような極端な画質劣化ではなく、より小さな画質劣化の影響も時間平均として空間的に分散され、視認しにくくすることができる。
【００４１】
図７は、光学像移動制御手段３１の具体例を模式的に示す図である。光学像移動制御手段３１が行う光学像移動方法としては、たとえば、図７（Ａ）に示すように、投写光学系の投写レンズ４１を上下左右方向にシフトさせるような方法（ただし、図７（Ａ）では、上方向に移動させる例のみが示されている）、または、図７（Ｂ）に示すように、光学部品４２を光路中に挿入する方法、さらには、図７（Ｃ）に示すように照明光の方向を変化させる方法など様々な方法が考えられる。また、そのいずれもが本発明に適用可能である。
【００４２】
以上のように、実施形態１によれば、光学像移動制御手段３１によって電気光学変調装置２０に対応する光学像を表示画素の整数倍の位置に移動させ、この光学像の移動に同期して、表示画像を電気光学変調装置２０に対応する光学像と逆方向に同じ移動量だけ移動させる画像移動制御を行う。
【００４３】
これによって、ある１つの表示画素が複数の物理画素で表示されることになり、電気光学変調装置２０の特性差が時間的に平均化される。たとえば、前述したように、電気光学変調装置２０の物理画素に常時点灯や常時消灯といった不具合があるがために、表示画像上に極度な暗点や輝点などの画質劣化が現れる場合にも、これらの暗点や輝点が時間的に平均化されて、殆ど視認できなくなるまでに改善することが可能となる。
【００４４】
[実施形態２]
図８は本発明の実施形態２に係るプロジェクタ１の概略構成を示す図である。実施形態１の説明で用いた図１との差異は、画像表示制御手段３０が、補正パラメータ記憶手段３６と画像補正手段３７をさらに有している点である。その他の構成は図１と同じであるので、図１と同一部分には同一符号が付されている。
【００４５】
画像補正手段３７は、複数個の物理画素に対応付けられる各表示画素の表示位置に対応した補正パラメータを補正パラメータ記憶手段３６から取得して、取得した補正パラメータに基づいて複数個の物理画素に対応付けられる表示画素の画素値を補正する。この画像補正動作の具体例については後述する。
【００４６】
図９は、実施形態２に係るプロジェクタ１の画像表示制御手段３０が行う画像表示制御処理手順を示すフローチャートである。この図９に示す画像表示制御処理のステップＳ１１〜Ｓ１３は、図２のフローチャートのステップＳ１〜Ｓ３と同様である。したがって、ここでは、ステップＳ１４以降の処理手順について説明する。なお、ステップＳ１４およびステップＳ１５は、画像補正手段３７が行う画像補正処理であり、画像移動同期手段３３からの画像移動同期信号を受け取ることによって行われる。
【００４７】
まず、画像移動同期手段３３からの画像移動同期信号に基づいて、表示位置における補正量を補正パラメータ記憶手段３６から取得する（ステップＳ１４）。そして、取得した補正量に基づいて画像入力手段１０により与えられる入力画像データに対して画素値の補正を行う（ステップＳ１５）。
【００４８】
この画素値の補正が終了すると、画像移動制御手段３４による画像移動制御（図２のフローチャートにおけるステップＳ４と同様の動作）がなされる。この場合、画像移動制御手段３４は画素値の補正された入力画像データに対し画像移動制御を行う。すなわち、表示面上の表示画像を横方向に−ｘ、縦方向に−ｙだけ移動させるための画像移動制御を、画素値の補正された入力画像データに対して行う（ステップＳ１６）。
【００４９】
続いて、画素値の補正および画像移動制御のなされた入力画像データを電気光学変調装置２０に送り、この電気光学変調装置２０によって変調された表示画像を投写光学系によって表示面上に表示する（ステップＳ１７）。そして、一連の表示シーケンスが終了か否かを判断し（ステップＳ１８）、一連の表示シーケンスが終了するまで、ステップＳ１１〜Ｓ１７の処理を繰り返す。
【００５０】
以下に、画像補正手段３７が行う表示画素の画素値補正処理の具体例について説明する。
図１０は、ある１つの表示画像を１６個の物理画素で表示する例を模式的に示す図であり、これは図４と同じである。なお、この図１０では、各物理画素ごとに設定された特性値の例が示されている。
【００５１】
図１０に示されている特性値は、電気光学変調装置２０のそれぞれの物理画素の持つ特性を表すもので、表示画像の輝度に与える影響に基づいて設定されたものである。特性値０．０は、その物理画素が正常であることを示す。
また、特性値が負の値で示されているものは、その物理画素が正常よりも暗く（輝度が低く）、特性値が−１．０では完全な暗点であることを示すものであるとする。また、特性値が正の値で示されているものは、その物理画素が正常よりも明るく（輝度が高く）、特性値が１．０では完全な輝点であることを示すものであるとする。
なお、図１０の例では、表示画像上で暗点となる物理画素が太線の四角で示され、表示画像上で輝点となる物理画素が破線の四角で示されている。
【００５２】
この特性値に基づいて補正パラメータを求める。この補正パラメータは１次の近似で以下のようにして求めることができる。ここで、ある表示画素において表示したい輝度をＶｉとする。しかし、実際に表示される輝度ｖｉが、
ｖｉ＝Ｖｉ（1.0−ｎｉ）                    （１）
であるとする。
【００５３】
この（１）式において、ｎｉは、表示が暗くなる程度を示す特性値であり、この場合、その特性値は負で表され、その絶対値をｎｉとする。したがって、たとえば、ｎｉが１．０のとき、これは完全な暗点を示す。よって、この暗くなった程度を他の物理画素が補うためには、Ｎ個（Ｎは自然数で、Ｎ＞２とする）の物理画素が１つの表示画素を表示しているものとして、
【数１】
2006003406.tif 000003
だけ明るく表示する必要がある。
【００５４】
この（２）式におけるＮ個の物理画素の中に、他にも暗点側の不具合が１つ以上ある場合は、その暗点側の不具合の特性値をｎｊで表すと、１次の近似で、
【数２】
2006003406.tif 000004
の補正が必要となる。
【００５５】
同様に、この（３）式におけるＮ個の物理画素の中に輝点側の不具合がある場合には、暗さの程度として、
【数３】
2006003406.tif 000005
のように表すことができる。
【００５６】
この（４）式において、ｐｉは、表示が明るくなる程度を示す特性値であり、この場合、その特性値は正で表され、その絶対値をｐｉとする。したがって、ｐｉが１．０のとき、これは完全な輝点を示す。また、明るさの最大値は１．０に正規化されているものと仮定している。よって、この明るくなった程度を他の物理素が補うためには、Ｎ個のそれぞれの物理画素の明るさを、
【数４】
2006003406.tif 000006
だけ暗くする表示する必要がある。
【００５７】
この（５）式におけるＮ個の物理画素の中に、他にも輝点側の不具合が１つ以上ある場合は、その輝点側の不具合の特性値をｐｊで表すと、１次の近似で、
【数５】
2006003406.tif 000007
の補正が必要となる。よって、（３）式と（６）式から、
【数６】
2006003406.tif 000008
の補正が必要となることになる。この（７）式によって得られた値は、表示画素の画素値の補正量であり、その補正量を補正パラメータとして補正パラメータ記憶手段３６に記憶させておく。
【００５８】
なお、図１０は各物理画素に対し、それぞれ特性値としてのｎｉとｐｉが与えられた状況を模式的に示したものであり、特性値を示す値が負の場合、その絶対値が上記各式におけるｎｉを示し、特性値を示す値が正の場合、その値が上記各式におけるｐｉを示すものとする。
【００５９】
この図１０に示した矢印に沿って、(７)式の演算を行うことにより、ある表示画素に対する画素値の補正量を求めることができる。この（７）式の計算は、表示画素と物理画素との対応が決まっていれば予め行うことができ、各表示位置における表示画素に対する補正量を補正パラメータとして補正パラメータ記憶手段３６に記憶させておくことができる。
【００６０】
図１１は、実施形態１および実施形態２におけるそれぞれの画像表示制御結果を比較するための図である。なお、この図１１は、図４や図１０に示すように、表示画像のある１つの表示画素を１６個の物理画素で表示する例において、図２や図９のフローチャートに示す処理手順による画像表示制御を行った場合の画像表示制御結果を示すものである。ただし、この図１１では、説明を簡単にするために、図１０で示した表示画像上で輝点となる物理画素の存在は考えず、表示画像上で暗点となる物理画素みについて考えるものとする。
【００６１】
図１１（Ａ）は実施形態１の場合である。実施形態１では、ある１つの表示画素を１６個の物理画素を順番に移動させながら表示させる一連の表示シーケンスのうち、暗点となる物理画素（図１１においては７番目の物理画素）以外は正常の輝度Ｖｉでの表示がなされている。そのため、１つの物理画素による暗点の影響は１／１６に軽減される。
【００６２】
一方、図１１（Ｂ）は実施形態２における画像補正処理を行った場合の画像表示制御結果を説明するものである。実施形態２の場合、画像補正手段３７により、１６個の物理画素に対応付けられる各表示画素の表示位置に対応した補正パラメータを用いた画像補正がなされる。これによって、図１１（Ｂ）からもわかるように、暗点以外の物理画素で表示される表示画素は、正常な輝度Ｖｉに対し、１／１５の割合だけ明るさを増加させるような画素値の補正がなされる。
【００６３】
このような画像補正がなされることにより、たとえば、図１０に示すように、１６個の物理画素による一連の表示シーケンスでの表示がなされると、時間平均において１６個の物理画素がすべて正常な値を表示したと同等なものとすることができる。
【００６４】
以上説明したように、実施形態２においても、電気光学変調装置２０の特性差が時間的に平均化される。たとえば、前述したように、電気光学変調装置２０の物理画素に常時点灯や常時消灯といった不具合があるがために、表示画像上に極度な暗点や輝点などの画質劣化が現れる場合にも、これらの暗点や輝点が時間的に平均化されて、殆ど視認できなくなるまでに改善することが可能となる。
【００６５】
また、実施形態２では、画像補正手段３７により、複数個の物理画素に対応付けられる各表示画素の表示位置に対応した補正パラメータを用いた画像補正がなされることによって、暗点以外の物理画素で表示される表示画素は、正常な輝度Ｖｉに対し、所定の割合だけ明るさを増加させるような画素値の補正がなされる。このような画像補正がなされることにより、複数個の物理画素による一連の表示シーケンスでの表示がなされると、時間平均において複数個の物理画素がすべて正常な値を表示したと同等な画素値での表示を行うことができる。
【００６６】
また、以上の実施形態２における説明では、ある物理画素に常時消灯の不具合によって、その物理画素に対応する表示画素が暗点となる場合について説明したが、常時点灯の輝点においても同様に改善することができる。さらに、暗点、輝点のような極端な画質劣化ではなく、より小さな画質劣化の影響も時間平均として空間的に分散され、視認しにくくすることができる。
【００６７】
なお、本発明は各実施形態１，２に限られるものではなく、本発明の要旨を逸脱しない範囲で種々変形実施可能となるものである。たとえば、下記の（１）〜（５）に示すような態様も可能である。
【００６８】
（１）光学像移動制御手段３１の光学像の移動方法として、図７（Ａ）〜（Ｃ）に示したような方法を例として挙げたが、たとえば、電気光学変調装置２０側を動かすようにするなど、種々の方法を採用することができる。
【００６９】
（２）前述の各実施形態１，２では、電気光学変調装置２０の光学像の移動は、１画素単位で行う例で説明したが、表示画素の整数倍であれば、１画素単位の移動でなくてもよい。
【００７０】
（３）前述の各実施形態１，２では、表示画像を構成する複数の表示画素のうちのある１つの表示画素を、電気光学変調装置２０の複数の物理画素を用いて表示する例について説明したが、これに限られるものではなく、たとえば、表示画像を構成する複数の表示画素のうちのある特定の２個以上の表示画素を、電気光学変調装置のそれよりも多い数の物理画素を用いての画像表示制御も可能である。
【００７１】
（４）前述の各実施形態では、ある１つの電気光学変調装置の特性に基づく画質劣化に対処する場合の画像表示制御について説明したが、たとえば、多板式である場合のように、複数の電気光学変調装置が存在する場合であっても、それぞれの電気光学変調装置に対し、各実施形態１，２で説明したと同様の画像表示制御を行うことができる。
【００７２】
（５）実施形態２においては、画像補正（画素値の補正）を行ってから画像移動制御を行う例（図９のフローチャート参照）で説明したが、逆に、画像移動制御を行ってから画像補正処理を行うようにしてもよい。
【００７３】
また、本発明は以上説明した本発明を実現するための処理手順が記述された画像表示制御プログラムを作成し、その画像表示制御プログラムをフロッピィディスク、光ディスク、ハードディスクなどの記録媒体に記録させておくこともできる。したがって、本発明は、その画像表示制御プログラムの記録された記録媒体をも含むものである。また、ネットワークからその画像表示制御プログラムを得るようにしてもよい。
【図面の簡単な説明】
【００７４】
【図１】本発明の実施形態１に係るプロジェクタの概略構成を示す図。
【図２】実施形態１に係るプロジェクタの画像表示制御手段が行う画像表示制御処理手順を示すフローチャート。
【図３】ある１つの表示画素を複数の物理画素で表示する動作を説明するための図。
【図４】表示画像のある１つの表示画素を１６個の物理画素で表示する例を模式的に示す図。
【図５】ある物理画素が常時消灯の不具合を持っている場合における該物理画素を通る破線矢印線上の線輝度分布例を示す図。
【図６】ある１つの表示画素を１６個の物理画素で表示した場合の破線矢印上の輝度分布を説明するための図。
【図７】光学像移動制御手段の具体例を模式的に示す図。
【図８】本発明の実施形態２に係るプロジェクタの概略構成を示す図。
【図９】実施形態２に係るプロジェクタの画像表示制御手段が行う画像表示制御処理手順を示すフローチャート。
【図１０】ある１つの表示画素を１６個の物理画素で表示させる例を模式的に示す図。
【図１１】実施形態１および実施形態２におけるそれぞれの画像表示制御結果を比較するための図。
【符号の説明】
【００７５】
１  プロジェクタ、１０  画像入力手段、２０  電気光学変調装置、３０  画像表示制御手段、３１  光学像移動制御手段、３２  移動量取得手段、３３  画像移動同期手段、３４  画像移動制御手段、３６  補正パラメータ記憶手段、３７  画像補正手段
【図１】
2006003406.tif 000009
【図２】
2006003406.tif 000010
【図３】
2006003406.tif 000011
【図４】
2006003406.tif 000012
【図５】
2006003406.tif 000013
【図６】
2006003406.tif 000014
【図７】
2006003406.tif 000015
【図８】
2006003406.tif 000016
【図９】
2006003406.tif 000017
【図１０】
2006003406.tif 000018
【図１１】
2006003406.tif 000019